(57)【要約】【課題】携帯電話機等の携帯通信端末において文字入力時の文字クリア方法にバリエーションを加え、文章作成を容易にする。【解決手段】携帯電話機１において、表示部１８に表示された文字入力画面における文字削除範囲と、入力部１７の所定の操作キーとを対応づけて記憶させ、ＣＰＵ１４に、クリアキーＣの長押下操作に基づいて、文字削除範囲を指定するための文字削除範囲指定表示を実行した上で、所定の操作キーの入力により文字削除範囲を指定し、範囲指定された文字を表示部１８から削除するように制御させる。【選択図】　　　図５
2004078819.tif 000002
【特許請求の範囲】
【請求項１】
文字を入力するための入力手段と、前記入力手段により入力された文字を表示する表示手段と、前記表示手段に表示された文字の削除を指示するための削除キーと、を有する携帯通信端末において、
前記表示手段に表示された文字入力画面にて前記削除キーの長押下操作により文字削除範囲を指定するための文字削除範囲指定表示を行う表示制御手段と、
所定の操作キーの入力により、前記文字削除範囲を指定する範囲指定手段と、前記範囲指定手段により、範囲指定された文字を前記表示手段から削除する削除手段と、
を備えたことを特徴とする携帯通信端末。
【請求項２】
前記文字入力画面において、カーソルの位置を認識するカーソル位置認識手段を備え、
前記所定の操作キーには、上下左右の４つの方向キーのうち少なくとも２つが含まれ、
前記範囲指定手段は、前記方向キーの入力された方向により、前記カーソル位置認識手段により認識されたカーソル位置を基点にして、文字削除範囲の方向と範囲とを指定することを特徴とする請求項１に記載の携帯通信端末。
【請求項３】
前記文字入力画面において、カーソルの位置を認識するカーソル位置認識手段を備え、
前記カーソル位置認識手段により認識されたカーソル位置より前に表示される文字削除範囲と、前記カーソル位置認識手段により認識されたカーソル位置より後に表示される文字削除範囲と、前記カーソル位置認識手段により認識されたカーソル位置の行におけるカーソル位置より前に表示される文字削除範囲と、前記カーソル位置認識手段により認識されたカーソル位置の行におけるカーソル位置より後に表示される文字削除範囲のうち、少なくとも２種の文字削除範囲が、各々異なる操作キーと対応付けられていることを特徴とする請求項１に記載の携帯通信端末。
【請求項４】
前記所定の操作キーと、任意の文字削除範囲とを対応づけて設定することが可能な設定手段を備えることを特徴とする請求項１〜３の何れか一項に記載の携帯通信端末。
【請求項５】
文字を入力するための入力手段と、前記入力手段により入力された文字を表示する表示手段と、前記表示手段に表示された文字の削除を指示するための削除キーと、を有するコンピュータに、
前記表示手段に表示された文字入力画面にて前記削除キーの長押下操作により文字削除範囲を指定するための文字削除範囲指定表示を行う機能と、
所定の操作キーの入力により、前記文字削除範囲を指定する機能と、
前記範囲指定手段により、範囲指定された文字を前記表示手段から削除する機能と、
を実現させるためのプログラム。
【発明の詳細な説明】
【０００１】
【発明の属する技術分野】
本発明は、携帯通信端末及びプログラムに関する。
【０００２】
【従来の技術】
近時、携帯電話機はメール作成機能及びメール送受信機能を備えたものが急増し、メールサービスを利用しているユーザも急増している。
そして、メール文章の作成中、あるいは返信した引用文等を編集する際に、画面に表示された文字を削除する場合、クリアキーを短押しすることにより一文字ずつ削除する、あるいはクリアキーを長押しして、表示画面中の全文字を削除するという動作をすることが主流である。
【０００３】
【発明が解決しようとする課題】
昨今メールとして送受信できる文字数も増えているため、上記のような従来の文字クリア機能では、クリア動作が煩雑であり、文章作成時の操作性が良くないという問題があった。
【０００４】
本発明の課題は、携帯電話機等の携帯通信端末において文字入力時の文字クリア方法にバリエーションを加え、文章作成を容易にすることである。
【０００５】
【課題を解決するための手段】
本発明は、文字を入力するための入力手段と、前記入力手段により入力された文字を表示する表示手段と、前記表示手段に表示された文字の削除を指示するための削除キーと、を有する携帯通信端末において、
前記表示手段に表示された文字入力画面にて前記削除キーの長押下操作により文字削除範囲を指定するための文字削除範囲指定表示を行う表示制御手段と、
所定の操作キーの入力により、前記文字削除範囲を指定する範囲指定手段と、
前記範囲指定手段により、範囲指定された文字を前記表示手段から削除する削除手段と、
を備えたことを特徴としている。
【０００６】
さらに、本発明は、前記文字入力画面において、カーソルの位置を認識するカーソル位置認識手段を備え、
前記所定の操作キーには、上下左右の４つの方向キーのうち少なくとも２つが含まれ、
前記範囲指定手段は、前記方向キーの入力された方向により、前記カーソル位置認識手段により認識されたカーソル位置を基点にして、文字削除範囲の方向と範囲とを指定することが好ましい。
【０００７】
また、本発明は、前記文字入力画面において、カーソルの位置を認識するカーソル位置認識手段を備え、
前記カーソル位置認識手段により認識されたカーソル位置より前に表示される文字削除範囲と、前記カーソル位置認識手段により認識されたカーソル位置より後に表示される文字削除範囲と、前記カーソル位置認識手段により認識されたカーソル位置の行におけるカーソル位置より前に表示される文字削除範囲と、前記カーソル位置認識手段により認識されたカーソル位置の行におけるカーソル位置より後に表示される文字削除範囲のうち、少なくとも２種の文字削除範囲が、各々異なる操作キーと対応付けられていることが好ましい。
【０００８】
さらに、本発明は、前記所定の操作キーと、任意の文字削除範囲とを対応づけて設定することが可能な設定手段を備えることを特徴としている。
【０００９】
また、本発明のプログラムは、
文字を入力するための入力手段と、前記入力手段により入力された文字を表示する表示手段と、前記表示手段に表示された文字の削除を指示するための削除キーと、を有するコンピュータに、
前記表示手段に表示された文字入力画面にて前記削除キーの長押下操作により文字削除範囲を指定するための文字削除範囲指定表示を行う機能と、
所定の操作キーの入力により、前記文字削除範囲を指定する機能と、
前記範囲指定手段により、範囲指定された文字を前記表示手段から削除する機能と、
を実現させる。
【００１０】
【発明の実施の形態】
以下、図を参照して本発明の実施の形態を詳細に説明する。まず、構成を説明する。
本発明に係る携帯通信端末の一例としての携帯電話機１は、携帯電話方式としてＰＤＣ（Ｐｅｒｓｏｎａｌ　Ｄｉｇｉｔａｌ　Ｃｅｌｌｕｌａｒ）方式、ＣＤＭＡ（Ｃｏｄｅ　Ｄｉｖｉｓｉｏｎ　Ｍｕｌｔｉｐｌｅ　Ａｃｃｅｓｓ）方式、ＰＨＳ（Ｐｅｒｓｏｎａｌ　Ｈａｎｄｙｐｈｏｎｅ　Ｓｙｓｔｅｍ）方式等を利用するものであり、携帯電話方式を特に限定するものではない。
【００１１】
図１は、携帯電話機１内部の機能構成を示すブロック図である。図１において、携帯電話機１は、アンテナ１１、ＲＦ回路１２、モデム１３、ＣＰＵ１４、ＲＡＭ１５、ＲＯＭ１６、入力部１７、表示部１８、スピーカー１９、及びマイク２０等により構成されている。
【００１２】
アンテナ１１は、ＲＦ回路１２の制御により上記携帯電話方式に応じて設置された無線基地局（図示せず）との間で無線通信信号を送受信する。
【００１３】
ＲＦ回路１２は、ベースバンド回路等を内蔵し、アンテナ１１を介して受信した信号を増幅および周波数変換して復調し、その復調信号をモデム１３に出力し、モデム１３から入力された音声やデータの信号を変調し、その変調信号を周波数変換および増幅を行ってアンテナ１１を介して送信する。
【００１４】
モデム（ＭＯＤＥＭ：ＭＯｄｕｌａｔｏｒ／ＤＥＭｏｄｕｌａｔｏｒ）１３は、ＲＦ回路１２から入力された復調信号から通信制御信号を抽出してＣＰＵ１４に出力するとともに、ＣＰＵ１４から入力される通信制御信号をＲＦ回路１２に出力して、携帯電話機１と無線基地局との間の通信手順を制御する。
【００１５】
ＣＰＵ（Ｃｅｎｔｒａｌ　Ｐｒｏｃｅｓｓｉｎｇ　Ｕｎｉｔ　）１４は、ＲＯＭ１６に記憶された制御プログラムに基づいて、接続された各部を制御して携帯電話機１に備えられた各種機能（携帯電話機能、メール送受信機能、メール文章作成機能、文字クリア機能等）を実行する。すなわち、ＣＰＵ１４は、入力部１７からの各種キー入力指示に応じて、ＲＯＭ１６から対応する制御プログラムを読み出してＲＡＭ１５のワークエリアに展開して実行し、接続された各部を制御して各種機能（携帯電話機能、メール送受信機能、メール文章作成機能、文字クリア機能等）を実行する。
【００１６】
具体的に、ＣＰＵ１４は、操作者による入力部１７の操作によって入力された文字の入力信号を認識し、指定された文字を、表示部１８の所定の表示位置データと対応づけて、ＲＡＭ１５に一時記憶させ、表示部１８の所定の表示位置に表示させる。
【００１７】
また、ＣＰＵ１４は、範囲指定手段として、文字入力画面において、クリアキーＣ（削除キー）の短押しの入力信号を検出すると、カーソル位置認識手段として文字入力画面中のカーソルの位置を認識し、そのカーソル位置が指定している一文字を削除する。
【００１８】
また、ＣＰＵ１４は、表示制御手段として、文字入力画面において、文字入力中にクリアキーＣ（削除キー）の長押しの入力信号を検出すると、表示部１８のナビ表示領域Ｇ２（後述）に、クリアメニュー項目を表示させ、更に範囲指定手段として、表示された文字のクリアを行うための各種項目を実行可能にする。
【００１９】
より詳細には、ＣＰＵ１４はカーソル位置認識手段として、カーソルＣＳの位置を認識して、待機する。そして、ＣＰＵ１４は、範囲指定手段として、上記待機中に、メニューキーＭの押下信号を検出した場合には、表示中の全文字を、クリアする範囲として範囲指定し、同様に、上キー１７ｄの押下信号を検出した場合には、カーソルＣＳの位置より前に入力された文字列全て（カーソルキーが指定する文字を含む）を範囲指定し、下キー１７ｅの押下信号を検出した場合には、カーソルＣＳの位置より後に入力された文字列の全てを範囲指定し、左キー１７ｆの押下信号を検出した場合には、カーソルＣＳが位置する行においてカーソルＣＳの位置より前に入力された文字列全て、換言すれば該行におけるカーソルの左側に位置する文字列全てを範囲指定し、右キー１７ｇの押下信号を検出した場合には、カーソルＣＳが位置する行におけるカーソルＣＳの位置より後に入力された文字列全て、即ち、該行においてカーソルキーの右側に位置する文字列全てを範囲指定する。
【００２０】
また、ＣＰＵ１４は、削除手段として、範囲指定に含まれる文字を表示部１８から削除し、そして、削除後の画面を表示し直す。
【００２１】
ＲＡＭ（Ｒａｎｄｏｍ　Ａｃｃｅｓｓ　Ｍｅｍｏｒｙ）１５は、ＣＰＵ１４がＲＯＭ１６から読み出して実行する制御プログラムや処理中のデータ等を展開するためのワークエリアを形成する。また、ＲＡＭ１５は、後述する様々な画面遷移の際の画面データや、表示部１８における表示位置データと対応づけられて範囲指定された文字等を、一時的に格納する。
【００２２】
ＲＯＭ（Ｒｅａｄ　Ｏｎｌｙ　Ｍｅｍｏｒｙ）１６は、フラッシュＲＯＭ等により構成され、ＣＰＵ１４が実行する各種制御プログラムや上記文字クリア機能を実行するための制御プログラムなどを記憶する。また、後述する様々な画面遷移の際の画面データを格納する。
【００２３】
入力部１７は、入力手段として機能し、図２に示すように、テンキー群１７ａ、電源／オンフックキー１７ｂ、オフフックキー１７ｃ、上キー１７ｄ、下キー１７ｅ、左キー１７ｆ、右キー１７ｇ、ソフトキーＳ１，Ｓ２、メニューキーＭ、及びクリアキーＣを備え、その各キー入力操作に応じた入力信号をＣＰＵ１４に出力する。
具体的には、テンキー群１７ａは、電話番号と文字列（かな文字、カタカナ、英文字等）の入力、電源／オンフックキー１７ｂは、携帯電話機１の電源オン／オフと通話や文字入力の終了の入力、オフフックキー１７ｃは、通話開始の入力に用いられる。また、上下左右キー１７ｄ、１７ｅ、１７ｆ、１７ｇ（所定の操作キー、方向キー）は、電話画面、メール入力画面等においてカーソルによる入力位置の移動等の入力、予め設定された文字のクリア範囲を指定し、ソフトキーＳ１，Ｓ２（所定の操作キー）は電話番号入力画面、メール入力画面等においてそれぞれで予め割り当てられたソフト機能の入力、メニューキーＭは電話モード、メール入力モード等の予め設定されたメニューを移動するときの入力、クリアキーＣ（削除キー）は電話番号入力画面、メール入力画面等において入力指示を取り消す際、クリアメニュー画面への移行、及びクリアメニュー画面から戻るための入力等に用いられる。
【００２４】
表示部１８は、表示手段として機能し、ＣＰＵ１４から入力される表示制御信号により表示制御され、携帯電話機１としての電話画面、メール入力画面、クリア処理設定画面等をキー入力部３からの入力指示に応じて表示するとともに、その各画面においてキー入力された情報を表示する。
また、図３に示すように、電話画面、メール入力画面等の各種表示画面において、主要項目が表示されるメイン表示領域Ｇ１と、メイン表示部に対する各種機能を実施するための指示入力をナビゲートするナビ表示領域Ｇ２とが形成されるようになっている。
【００２５】
特に、ナビ表示領域Ｇ２には、例えば、メイン表示領域Ｇ１にメール文章が表示される場合の、漢字入力、カナ入力、英数字入力等の入力文字の選択項目キー、メニュー画面への遷移指示キー、漢字変換候補表示の他、特にクリアメニューとして、クリア処理を実行するためにどのキーを押下すればよいかを操作者にナビゲートするためのキー情報が表示される。
具体的には、図３に示すように、例えば、メイン表示領域Ｇ１に表示される上下左右選択表示アイコン３ａは、カーソル位置を移動させるためには、上キー１７ｄ、下キー１７ｅ、左キー１７ｆ、右キー１７ｇを操作すればよいことを表わしており、同様に、メニュー３ｂは、メニュー画面へ遷移するためにソフトキーＳ１を押下し、文字種表示３ｃは、文字種の切換を行うためには、ソフトキーＳ２を押下すればよいことを表している。
【００２６】
スピーカー１９は、ＣＰＵ１４から入力される音声信号を音声に変換して出力する。
マイク２０は、ユーザの送話音声を送話音声信号に変換してＣＰＵ１４に出力する。
【００２７】
次に、上記構成の携帯電話機１により実行される入力文字の文字クリア処理について図４に示すフローチャート、及び図５に示す入力画面遷移図を参照して説明する。
【００２８】
まず、携帯電話機１の操作者により入力部１７のメニューキーＭ等が押下されることにより、メール作成指示信号が入力され、同メール作成信号を検知したＣＰＵ１４により、メールを作成するための文字入力画面が表示部１８に表示される（ステップＳ１）。
【００２９】
次いで、ＣＰＵ１４は、例えば、図５に示すような文字入力画面５０１を表示部１８に表示させる。
ここで、文字入力画面５０１のナビ表示領域Ｇ２には、メイン表示領域Ｇ１のカーソルＣＳの位置を移動させるためのキー操作をナビゲートする上下左右選択表示アイコン５ａ、ソフトキーＳ１の押下によりメニュー画面への移行をナビゲートするメニューアイコン５ｂ、現在選択されている文字種を示すとともに、ソフトキーＳ２の押下により文字種の変更をナビゲートするための文字種（漢）アイコン５ｃ、メイン表示領域Ｇ１に入力可能な残り文字数を示す、残り文字数５ｄが表示されている。
【００３０】
上記のような状態において、操作者により入力部１７の所定のキーが押下されることにより文字が入力されると、ＣＰＵ１４は、入力されたキーに対応する文字を、表示部１８の表示位置データと関連づけてＲＡＭ１５に一時記憶させた上で、メイン表示領域Ｇに表示させる（ステップＳ２）動作を繰り返し行う。このとき、ＣＰＵ１４は、入力位置を示すカーソルＣＳの位置データをＲＡＭ１５に格納し、操作者の操作に従いカーソルＣＳが移動するたびに、ＲＡＭ１５のデータを随時更新する。
【００３１】
次いで、ＣＰＵ１４は、操作者によりクリアキーＣが短押しされたか否かを判別し（ステップＳ３）、短押しされたと判断した場合（ステップＳ３：Ｙｅｓ）には、ステップＳ４に移行し、短押しされていないと判断した場合（ステップＳ３：Ｎｏ）には、ステップＳ６に移行する。
【００３２】
ステップＳ４において、ＣＰＵ１４は、文字入力画面５０１におけるカーソルＣＳの位置を認識する。次いで、ＣＰＵ１４は、カーソルＣＳが指定している文字（例えば、「大」）をクリア範囲であると認定して削除処理を実行し、削除後画面５０２を表示部１８に表示する（ステップＳ５）。
ここで、ＣＰＵ１４は、ＲＡＭ１５に格納されている表示させる各文字の表示位置データを更新した上で、削除後画面５０２において、カーソルＣＳの位置は変わらず、削除された文字の次の文字（例えば、「変」）を指定するように制御するとともに、文字数５ｄの数字を更新する。尚、文字数５ｄにおいては、全角文字を２文字、半角文字を１文字として表示しており、全角一文字を削除したので、残り文字数５ｄは２増えている。また、この一文字削除後、ステップＳ２に移行する。従って、文章入力、表示、及びクリア処理を繰り返すことによりメール文章作成処理を実行可能である。
【００３３】
一方、ステップＳ６において、ＣＰＵ１４は、クリアキーＣが長押しされたか否かを判断し、長押しの入力信号を検出した場合（ステップＳ６：Ｙｅｓ）には、ステップＳ７に移行し、長押しの入力信号を検出できない場合（ステップＳ６：Ｎｏ）には、ステップＳ２に工程を戻る。
【００３４】
ステップＳ７において、ＣＰＵ１４は、図５の文字入力画面５０３に示すようなクリアメニューを、ナビ表示領域Ｇ２に表示させる。このナビ表示領域Ｇ２の上段にクリアメニュー５ｅが表示され、具体的には、メイン表示領域Ｇ１に表示されている全文字を削除する全クリアを行うためにはメニューキーＭを押下することをナビゲートする「Ｍ全クリア」アイコン５ｆと、クリアする文字の方向を指定するためには上下左右キー１７ｄ、１７ｅ、１７ｆ、１７ｇを押下することをナビゲートする「上下左右選択」アイコン５ｇと、が設けられている。
【００３５】
また、ＣＰＵ１４は、文字入力画面５０３におけるカーソルＣＳの位置を認識する（ステップＳ８）。
【００３６】
次いで、ＣＰＵ１４は、操作者の入力部１７の操作によりメニューキーＭが押下されたか否かを判断し（ステップＳ９）、押下されたと判断した場合（ステップＳ９：Ｙｅｓ）には、ステップＳ１０に移行し、押下されていないと判断した場合（ステップＳ９：Ｎｏ）には、ステップＳ１１に移行する。
【００３７】
ステップＳ１０において、ＣＰＵ１４は、メニューキーＭの押下により、文字入力画面５０３のメイン表示領域Ｇ１に表示されている全文字がクリア範囲であると認識し、全文字の削除処理を実行して、ＲＡＭ１５に格納されている表示させる各文字の表示位置データを更新した上で、文字入力画面５０４をメイン表示領域Ｇ１に表示する。このとき、ナビ表示領域Ｇ２の残り文字数５ｄの数字も更新されて表示されるとともに、ナビ表示領域Ｇ２は、クリアメニューから通常メニューの表示となる。ステップＳ１０に次いで、ステップＳ２に移行する。
【００３８】
ステップＳ１１において、ＣＰＵ１１は、上キー１７ｄが押下されたか否かを判断し、上キー１７ｄが押下されたと判断した場合（ステップＳ１１：Ｙｅｓ）には、ステップＳ１２に移行し、上キー１７ｄが押下されていないと判断した場合（ステップＳ１１：Ｎｏ）には、ステップＳ１３に移行する。
【００３９】
ステップＳ１２において、ＣＰＵ１４は、上キー１７ｄと対応づけられているクリア操作として、メイン表示領域Ｇ１に表示された文字のうちカーソルＣＳが指定する文字（例えば、「大」）を含む、カーソルＣＳ位置より前に表示されている全ての文字をクリア範囲として認識し、同クリア範囲の削除処理を実行する。そして、ＣＰＵ１４は、ＲＡＭ１５に格納されている表示させる各文字の表示位置データを更新した上で、削除後の画面として、文字入力画面５０５のメイン表示領域Ｇ１に表示させる。このとき、ナビ表示領域Ｇ２の残り文字数５ｄ表示も更新されており、ナビ表示領域Ｇ２は通常メニュー表示となっている。
そして、ステップＳ１２に次いで、ステップＳ２に移行する。
【００４０】
ステップＳ１３において、ＣＰＵ１４は、下キー１７ｅが押下されたか否かを判断し、下キー１７ｅが押下されたと判断した場合（ステップＳ１３：Ｙｅｓ）には、ステップＳ１４に移行し、押下されていないと判断した場合（ステップＳ１３：Ｎｏ）には、ステップＳ１５に移行する。
【００４１】
ステップＳ１４において、ＣＰＵ１４は、下キー１７ｅと対応づけられているクリア操作として、メイン表示領域Ｇ１に表示された文字のうち、カーソルＣＳが指定する文字（例えば、「大」）を含む、カーソルＣＳ位置より後に表示されている全ての文字をクリア範囲として認識し、同クリア範囲の削除処理を実行する。そして、ＣＰＵ１４は、ＲＡＭ１５に格納されている表示させる各文字の表示位置データを更新した上で、削除後の画面として、文字入力画面５０６をメイン表示領域Ｇ１に表示させる。このとき、ナビ表示領域Ｇ２の残り文字数５ｄ表示も更新されており、ナビ表示領域Ｇ２は通常メニュー表示となっている。
そして、ステップＳ１４に次いで、ステップＳ２に移行する。
【００４２】
ステップＳ１５において、ＣＰＵ１４は、左キー１７ｆが押下されたか否かを判断し、左キー１７ｆが押下されたと判断した場合（ステップＳ１５：Ｙｅｓ）には、ステップＳ１６に移行し、押下されていないと判断した場合（ステップＳ１５：Ｎｏ）には、ステップＳ１７に移行する。
【００４３】
ステップＳ１６において、ＣＰＵ１４は、左キー１７ｆと対応づけられているクリア操作として、メイン表示領域Ｇ１に表示された文字のうち、カーソルＣＳが位置する行において、カーソルＣＳ位置より前（左側）に表示されている全ての文字をクリア範囲として認識し、同クリア範囲の削除処理を実行する。このとき、カーソルＣＳの指定する文字（例えば、「大」）は、クリア範囲に含まれる。そして、ＣＰＵ１４は、ＲＡＭ１５に格納されている表示させる各文字の表示位置データを更新した上で、削除後の画面として、文字入力画面５０７をメイン表示領域Ｇ１に表示させる。このとき、ナビ表示領域Ｇ２の文字数５ｄ表示も更新されており、ナビ表示領域Ｇ２は通常メニュー表示となっている。
そして、ステップＳ１６に次いで、ステップＳ２に移行する。
【００４４】
ステップＳ１７において、ＣＰＵ１４は、右キー１７ｇが押下されたか否かを判断し、右キー１７ｇが押下されたと判断した場合（ステップＳ１７：Ｙｅｓ）には、ステップＳ１８に移行し、押下されていないと判断した場合（ステップＳ１７：Ｎｏ）には、ステップＳ１９に移行する。
【００４５】
ステップＳ１８において、ＣＰＵ１４は、右キー１７ｇと対応づけられているクリア操作として、メイン表示領域Ｇ１に表示された文字のうち、カーソルＣＳが位置する行において、カーソルＣＳ位置より後（右側）に表示されている全ての文字をクリア範囲として認識し、同クリア範囲の削除処理を実行する。このとき、カーソルＣＳの指定する文字（例えば、「大」）はクリア範囲に含まれる。そして、ＣＰＵ１４は、ＲＡＭ１５に格納されている表示させる各文字の表示位置データを更新した上で、削除後の画面として、文字入力画面５０８をメイン表示領域Ｇ１に表示させる。このとき、ナビ表示領域Ｇ２の文字数５ｄ表示も更新されており、ナビ表示領域Ｇ２は通常メニュー表示となっている。
そして、ステップＳ１８に次いで、ステップＳ２に移行する。
【００４６】
ステップＳ１９において、ＣＰＵ１４は、再度クリアキーＣが押下されたか否かを判断する。このとき、クリアキーＣの長押し、短押しどちらでもよい。
そして、ＣＰＵ１４は、クリアキーＣが押下されたと判断した場合（ステップＳ１９：Ｙｅｓ）、クリアメニューの実行の中止指示が行われたと判断し、ナビ表示領域Ｇ２においてクリアメニューの表示から通常メニューに表示内容を更新し、文字入力画面５０１を表示部１８に表示させ、ステップＳ２に工程を戻る。一方、ＣＰＵ１４は、クリアキーＣが押下されていないと判断した場合（ステップＳ１９：Ｎｏ）、ステップＳ９に移行し、クリアメニュー項目を実行するための何れかキーが入力されるまで待機する。
【００４７】
上記のようにして、ステップＳ１〜ステップＳ１９の工程が繰り返されてメールの文章が作成され、図示しない文章送信を行うための所定のキーが押下されることをもって文章作成処理が終了する。
【００４８】
このように、本実施の形態によれば、所定の操作キーと、文字のクリア操作とが対応づけられているので、文章作成時において、所定範囲の文字列の削除が容易にできる。従って、一字ずつ削除する手間が省けることとなり、文章作成の効率化が実現する。
【００４９】
特に、上下左右の方向キー１７ｄ〜１７ｇにより、クリア範囲とその方向が対応づけられているので、クリア操作がわかりやすい。
【００５０】
尚、上記例においては、キーと、そのクリア操作する範囲、及び方向とが予め設定されている構成であったが、どのキーを押せば、どの範囲（文字数等）、及びどの方向の文字列のクリア処理を行うかを、ユーザにより設定可能であるとする。
【００５１】
具体的な、設定方法は、例えば、メニューから設定項目が操作者により選択されると、クリア処理の設定画面が、ＣＰＵ１４の制御により、表示部１８に表示される。そこで、操作者は、クリア範囲（例えば、上記のようなカーソルの前後、或いは行単位の他、句読点単位、文節単位、単語単位、段落単位等）と、その範囲を行う方向、即ちカーソル位置の前後と、からなるクリア処理を、どの操作キーを入力することにより実行させるかを選択するので、ＣＰＵ１４は、クリア処理の内容とそれを実行するための操作キーとを対応づけた設定データを、図示しないメモリに記憶する。
そして、操作者により上記クリア処理内容と対応づけられた操作キーが指定された場合、ＣＰＵ１４は、設定データに基づき、クリア処理を実行する。
【００５２】
上記のように、クリア処理を操作者が設定することが可能であるので、操作者の使い勝手がより向上する。
【００５３】
尚、本実施の形態に係る記述は、本発明に係る好適な携帯通信端末の一例であり、これに限定されるものではない。
例えば、本実施の形態では、本発明を携帯電話に適用した例を挙げたが、本発明はこれに限定されず、例えば、モバイルパソコン、ＰＤＡ、ＰＨＳ等の画像データの通信機能が搭載されている一般の携帯通信に適用可能である。
【００５４】
また、メール作成における文字入力処理において、説明を行ったが、例えば電話帳の名前入力など、文字の入力についてであれば、本発明を適用することができる。
【００５５】
【発明の効果】
本発明によれば、所定の操作キーと、文字入力画面における文字削除範囲とが対応づけられているので、メール等の文章作成時において、削除キーであるクリアキーＣを長押しすることで、文字削除範囲を指定するためのクリアメニュー画面に遷移する上、クリアメニュー画面において所定の操作キーを指定するだけで所定範囲の文字の削除が容易にできる。従って、一字ずつ削除する手間が省けることとなり、文章作成の効率化が実現する。
【図面の簡単な説明】
【図１】本発明の携帯電話機の内部の回路構造を示すためのブロック図である。
【図２】図１の携帯電話機の入力部の操作キーの配置の一例を示す図である。
【図３】図１の携帯電話機の表示部に表示される文字入力画面の一例を示す図である。
【図４】本発明の実施の形態における文字クリア処理の動作を説明するためのフローチャートである。
【図５】図４の文字クリア処理において展開される表示画面の遷移状態を示す図である。
【符号の説明】
１　携帯電話機（携帯通信端末）
１４　ＣＰＵ（表示制御手段、範囲指定手段、削除手段、カーソル位置認識手段）
１７　入力部（入力手段、所定の操作キー）
１７ｄ、１７ｅ、１７ｆ、１７ｇ　上下左右キー（方向キー、所定の操作キー）
Ｓ１，Ｓ２　ソフトキー（所定の操作キー）
Ｃ　クリアキー（削除キー）
１８　表示部（表示手段）
【図１】
2004078819.tif 000003
【図２】
2004078819.tif 000004
【図３】
2004078819.tif 000005
【図４】
2004078819.tif 000006
【図５】
2004078819.tif 000007